(57)【要約】      （修正有）【課題】ＳＯＳ機能付き入退室管理用スマートリストバンド及びそれを応用したスマート電気錠システムを提供する。【解決手段】入退室管理用スマートリストバンドはリストバンド本体と非接触検知モジュールとブルートゥース（商標）通信モジュールとＳＯＳボタンと、を含む。非接触検知モジュールは、リードオンリーメモリユニットと電気的書き込み消去が可能なメモリユニットとを包括し、リードオンリーメモリユニットにチップのシリアル番号を焼付け、電気的書き込み消去が可能なメモリユニットに保安コードを焼付ける。電気錠装置は、保安コード又は保安コードとシリアル番号を検知して解錠或いは施錠する。ＳＯＳボタンが押圧された時、通信モジュールがブルートゥースユニットに接続し、ポータブルデバイスを経由してクラウドサーバまで救難信号を伝送する。救難信号の伝送に失敗した時、通信モジュールは救難信号を保留並びに再送する。【選択図】図２
0003209967.tif 000002
【実用新案登録請求の範囲】
【請求項１】
リストバンド本体と、
非接触検知モジュールであって、前記リストバンド本体上に位置し、リードオンリーメモリユニットと電気的書き込み消去が可能なリードオンリーメモリユニットとを包括し、前記リードオンリーメモリユニットにリードオンリーチップのシリアル番号を焼付け、電気的書き込み消去が可能なリードオンリーメモリユニットに保安コードを焼付け、電気錠装置は前記保安コード又は前記保安コードと前記リードオンリーチップのシリアル番号を検知して前記電気錠装置の電気錠を解錠或いは施錠する非接触検知モジュールと、
リストバンド本体上に位置し、ポータブルデバイスのブルートゥース（登録商標）ユニットに接続するブルートゥース通信モジュールと、
リストバンド本体上に位置し、前記ＳＯＳボタンが押圧された時救難信号を発生し、前記ブルートゥース通信モジュールが前記ブルートゥースユニットに接続した時前記救難信号を前記ポータブルデバイスに伝送し、前記ポータブルデバイスを経由してクラウドサーバまでに伝送し、またクラウドサーバに救難事象をログしてから前記救難信号を予め設定した電子機器に提供し、非接触検知モジュールは前記ポータブルデバイスの検知ユニットを検知した時信号伝送コマンドを前記ポータブルデバイスに送信し、前記ポータブルデバイスが前記信号伝送コマンドにより前記ブルートゥースユニットをオンにし、前記ブルートゥース通信モジュールが前記ブルートゥースユニットに接続して前記救難信号を前記ポータブルデバイスに伝送するＳＯＳボタンと、を含むことを特徴とする、
ＳＯＳ機能付き入退室管理用スマートリストバンド。
【請求項２】
前記リストバンド本体上に位置し、生体情報を測定するための生体情報モジュールを更に含み、前記ブルートゥース通信モジュールは前記ブルートゥースユニットに接続して前記生体情報を前記ポータブルデバイスに伝送し、前記ポータブルデバイスを経由して前記クラウドサーバに伝送することを特徴とする請求項１に記載のＳＯＳ機能付き入退室管理用スマートリストバンド。
【請求項３】
前記生体情報モジュールが前記生体情報を異常と判断した時、異常信号を発生し、前記非接触検知モジュールは前記ポータブルデバイスの検知ユニットを検知した後、信号伝送コマンドを前記ポータブルデバイスに送信し、前記ポータブルデバイスは前記信号伝送コマンドによって前記ブルートゥースユニットをオンにし、前記ブルートゥース通信モジュールで前記ブルートゥースユニットに接続して前記異常信号を前記ポータブルデバイスに伝送し、前記ポータブルデバイスを経由して前記クラウドサーバに伝送し、前記ブルートゥース通信モジュールは前記異常信号を前記ポータブルデバイスに伝送することに失敗した場合、前記異常信号を保留し、前記ポータブルデバイスの前記ブルートゥースユニットに接続してから前記異常信号を前記ポータブルデバイスに再送して前記ポータブルデバイスを経由して前記クラウドサーバに伝送することを特徴とする請求項２に記載のＳＯＳ機能付き入退室管理用スマートリストバンド。
【請求項４】
前記リストバンド本体上に位置し、動作情報を検出するための動作情報モジュールを更に含み、前記動作情報モジュールが前記動作情報を転倒状態と判断した時、緊急信号を発生し、前記非接触検知モジュールは前記ポータブルデバイスの検知ユニットを検知した後、信号伝送コマンドを前記ポータブルデバイスに送信し、前記ポータブルデバイスは前記信号伝送コマンドによって前記ブルートゥースユニットをオンにし、前記ブルートゥース通信モジュールで前記ブルートゥースユニットに接続して前記緊急信号を前記ポータブルデバイスに伝送し、前記ポータブルデバイスを経由して前記クラウドサーバに伝送し、前記ブルートゥース通信モジュールは前記緊急信号を前記ポータブルデバイスに伝送することに失敗した場合、前記緊急信号を保留し、前記ポータブルデバイスの前記ブルートゥースユニットに接続してから前記緊急信号を前記ポータブルデバイスに再送して前記ポータブルデバイスを経由して前記クラウドサーバに伝送することを特徴とする請求項１に記載のＳＯＳ機能付き入退室管理用スマートリストバンド。
【請求項５】
前記リストバンド本体上に位置し、音声情報を受信するための音声情報モジュールを更に含み、前記音声情報モジュールが前記音声情報を緊急事態と判断した時緊急信号を発生し、或いは前記音声情報を救助要請の声と判断した時前記救難信号を発生し、前記非接触検知モジュールは前記ポータブルデバイスの検知ユニットを検知した後、信号伝送コマンドを前記ポータブルデバイスに送信し、前記ポータブルデバイスは前記信号伝送コマンドによって前記ブルートゥースユニットをオンにし、前記ブルートゥース通信モジュールで前記ブルートゥースユニットに接続して前記緊急信号又前記救助要請信号を前記ポータブルデバイスに伝送し、前記ポータブルデバイスを経由して前記クラウドサーバに伝送し、前記ブルートゥース通信モジュールは前記緊急信号又前記救助要請信号を前記ポータブルデバイスに伝送することに失敗した場合、前記緊急信号又前記救助要請信号を保留し、前記ポータブルデバイスの前記ブルートゥースユニットに接続してから前記緊急信号又前記救助要請信号を前記ポータブルデバイスに再送して前記ポータブルデバイスを経由して前記クラウドサーバに伝送することを特徴とする請求項１に記載のＳＯＳ機能付き入退室管理用スマートリストバンド。
【請求項６】
前記リストバンド本体の位置情報を検出するための測位モジュールを更に含み、前記救難信号は前記位置情報を包括し、又は前記異常信号が前記位置情報を包括し、或いは前記緊急信号が前記位置情報を包括し、前記位置情報が事象発生時の位置情報を含むことを特徴とする請求項１〜５のいずれか一項に記載のＳＯＳ機能付き入退室管理用スマートリストバンド。
【請求項７】
前記リストバンド本体上に位置し、前記救難信号、前記異常信号又は前記緊急信号によって警報を発生する警報モジュールを更に含むことを特徴とする請求項６に記載のＳＯＳ機能付き入退室管理用スマートリストバンド。
【請求項８】
前記ポータブルデバイスは、前記救難信号、前記異常信号又は前記緊急信号によって通知メッセージをモバイルデバイスに送信することを特徴とする請求項１〜５のいずれか一項に記載のＳＯＳ機能付き入退室管理用スマートリストバンド。
【請求項９】
前記リストバンド本体上に位置する電池モジュールを更に含み、前記電池モジュールは、接点と電池ユニットとを包括し、前記接点を経由して前記電池ユニットに充電することを特徴とする請求項１〜５のいずれか一項に記載のＳＯＳ機能付き入退室管理用スマートリストバンド。
【請求項１０】
前記リストバンド本体上に位置し、メッセージ或いは前記電池ユニットの残量を表示する表示モジュールを更に含むことを特徴とする請求項９に記載のＳＯＳ機能付き入退室管理用スマートリストバンド。
【請求項１１】
前記ブルートゥース通信モジュールは、前記ブルートゥースユニットに接続することで前記ポータブルデバイスから伝送された更新プログラムを受信することを特徴とする請求項１〜５のいずれか一項に記載のＳＯＳ機能付き入退室管理用スマートリストバンド。
【請求項１２】
請求項１〜１１のいずれか一項に記載のＳＯＳ機能付き入退室管理用スマートリストバンドと、
検知モジュールと電気錠とを包括し、前記検知モジュールが保安コード又は前記保安コードとリードオンリーチップのシリアル番号を検知して前記電気錠を解錠或いは施錠する電気錠装置と、
クラウドサーバと、
送信モジュールと検知ユニットとブルートゥースユニットとを包括し、前記送信モジュールが前記クラウドサーバに接続し、前記検知ユニットが前記非接触検知モジュールを検知した時前記ブルートゥースユニットを起動し、前記ブルートゥースユニットが前記ブルートゥース通信モジュールに接続すると共に前記救難信号、前記生体情報、前記異常信号或いは前記緊急信号を受信し、前記送信モジュールを経由して前記救難信号、前記生体情報、前記異常信号或いは前記緊急信号を前記クラウドサーバに伝送するポータブルデバイスと、
前記救難信号、前記異常信号又は前記緊急信号が前記送信モジュールを経由して前記クラウドサーバに伝送され、また前記クラウドサーバに救難事象、一生体異常事象或いは緊急事象をログしてから前記前記救難信号、前記異常信号又は前記緊急信号を予め設定した電子機器に提供するよう予め設定した電子機器と、を含むことを特徴とする、
スマート電気錠システム。
【請求項１３】
前記電気錠装置は、入退室管理ホストコンピュータを更に含み、前記保安コードが入退室管理コードを包括し、前記検知モジュールが前記入退室管理コード又は前記入退室管理コードと前記リードオンリーチップのシリアル番号を検知して前記入退室管理ホストコンピュータを駆動して前記電気錠を解錠或いは施錠することを特徴とする請求項１２に記載のスマート電気錠システム。
【請求項１４】
前記電気錠装置は、警備ホストコンピュータを更に含み、前記保安コードがセキュリティコードを包括し、前記検知モジュールが前記セキュリティコード又は前記セキュリティコードと前記リードオンリーチップのシリアル番号を検知して前記警備ホストコンピュータを駆動して警戒状態の設定或いは警戒状態の解除に切り替えることを特徴とする請求項１２又は１３に記載のスマート電気錠システム。
【請求項１５】
前記電気錠装置は、電子機器に接続するシナリオ制御モジュールを更に含み、前記電気錠が解錠された時駆動信号を前記電子機器に伝送し、前記電子機器が前記駆動信号によって作動することを特徴とする請求項１４に記載のスマート電気錠システム。
【考案の詳細な説明】
【技術分野】
【０００１】
本考案は、スマートリストバンドに関し、特に、ＳＯＳ機能付き入退室管理用スマートリストバンド及びそれを応用したスマート電気錠システムに関する。
【背景技術】
【０００２】
モバイル通信技術の発展に伴い、ポータブル電子機器は益々軽薄短小化され、消費者がポータブル電子機器を持ち運ぶのは益々普通になっている。科学技術の発展により、ポータブル電子機器は軽薄短小で持ち運びに便利となったが、容易に忘却或いは遺失することがあるため、スマートウェアラブルデバイスがこれに伴って盛んに発展し、これは軽薄短小なため容易に遺失する問題を解決した。
【０００３】
スマートリストバンドは、スマートウェアラブルデバイスの１つの重要なデバイスで、ユーザはスマートリストバンドを装着して生活のエピソードを記録する。特に例えばユーザの走行距離、運動時の心拍数、脈拍、体温等といったユーザの運動生活を記録するために使用されたり、或いは腕時計機能を組み合わせて時間の表示を提供する。
【考案の概要】
【考案が解決しようとする課題】
【０００４】
スマートリストバンドの発展に鑑み、スマートリストバンドを生活に溶け込ませることで使用上の利便性を向上する解決策を提出する必要がある。
【課題を解決するための手段】
【０００５】
本考案の一実施例は、リストバンド本体と非接触検知モジュールとブルートゥース（登録商標）通信モジュールとＳＯＳボタンと、を含むＳＯＳ機能付き入退室管理用スマートリストバンドを提供する。
非接触検知モジュールは、リストバンド本体上に位置し、リードオンリーメモリユニットと電気的書き込み消去が可能なリードオンリーメモリユニットとを包括し、リードオンリーメモリユニットにリードオンリーチップのシリアル番号を焼付け、電気的書き込み消去が可能なリードオンリーメモリユニットに保安コードを焼付ける。電気錠装置は、保安コード又は保安コードとリードオンリーチップのシリアル番号を検知して電気錠装置の電気錠を解錠或いは施錠する。ブルートゥース通信モジュールは、リストバンド本体上に位置し、ポータブルデバイスに接続する。ＳＯＳボタンは、リストバンド本体上に位置し、ＳＯＳボタンが押圧された時救難信号を発生し、ブルートゥース通信モジュールがブルートゥースユニットに接続した時救難信号をポータブルデバイスに伝送し、ポータブルデバイスを経由してクラウドサーバまでに伝送する。ブルートゥース通信モジュールが救難信号をポータブルデバイスに伝送することに失敗した時、ブルートゥース通信モジュールは救難信号を保留し、ポータブルデバイスのブルートゥースユニットに接続してから救難信号をポータブルデバイスに再送し、ポータブルデバイスを経由してクラウドサーバに伝送する。
【０００６】
本考案の一実施例は、前記入退室管理用スマートリストバンドと電気錠装置とクラウドサーバとポータブルデバイスと、を含むスマート電気錠システムを提供する。
電気錠装置は、検知モジュールと電気錠とを包括し、検知モジュールが保安コード又は保安コードとリードオンリーチップのシリアル番号を検知して電気錠を解錠或いは施錠する。ポータブルデバイスは、送信モジュールと検知ユニットとブルートゥースユニットとを包括し、送信モジュールがクラウドサーバに接続し、検知ユニットが非接触検知モジュールを検知した時ブルートゥースユニットを起動し、ブルートゥースユニットがブルートゥース通信モジュールに接続すると共に救難信号、生体情報、異常信号或いは緊急信号を受信し、送信モジュールを経由して救難信号、生体情報、異常信号或いは緊急信号をクラウドサーバに伝送する。
【考案の効果】
【０００７】
本考案のＳＯＳ機能付き入退室管理用スマートリストバンドは、カードシミュレーション機能を通じて入退室管理機能を実現し、これをもって身分識別として入退室管理システムに検知させて開扉或いは警備を設定する。ここで、ユーザは入退室管理用スマートリストバンドを身分識別用として入退室管理の電気錠を解錠した後、更に電子機器を起動してシナリオ制御することができ、例えば予め設定した照明をオンにし又は電動カーテンを閉めるなど、生活に溶け込んで使用上の快適性、便利性を向上する。
【０００８】
また、入退室管理用スマートリストバンドは、ＳＯＳ機能を有し、ポータブルデバイスのブルートゥースとマッチングしてからクラウドサーバと接続できる。ここで、ポータブルデバイスのブルートゥース通信は消費電力が大きすぎるため、多くのユーザが通常ポータブルデバイスのブルートゥース通信をオフにし、ユーザがＳＯＳボタンを押した時、本考案の入退室管理用スマートリストバンドとポータブルデバイスの近距離無線通信が互いにコミュニケーションし、Ｐ２Ｐ型通信機能を通じて信号伝送コマンドを伝送しポータブルデバイスが速やかにブルートゥース通信をオンにさせ、ＳＯＳ機能を完成させる。
直ちに信号をブルートゥースによってポータブルデバイスに伝送できない場合、一定時間保留し、ポータブルデバイスのブルートゥースをオンにしてから信号をポータブルデバイスに伝送し、またクラウドサーバに転送する。このほかに、入退室管理用スマートリストバンドとポータブルデバイスはブルートゥースで接続した時、入退室管理用スマートリストバンドがＳＯＳ（位置報告を含む）、走った軌跡、健康状態、電池状態等の情報をポータブルデバイスに伝送でき、又はポータブルデバイスからファームウェアプログラム或いはその他のプログラム等の更新プログラムを取得して更新を行うことができる。
【０００９】
以下に、実施形態において本考案の特徴及び利点を詳細に記述する。その内容は当業者に本考案の技術内容を理解してもらうと共にこれに基づいて実施させることができ、且つ本明細書に開示されている内容、特許請求の範囲及び図面に基づき、当業者は容易に本考案の関連の目的及び利点を理解できる。
【図面の簡単な説明】
【００１０】
【図１】本考案のＳＯＳ機能付き入退室管理用スマートリストバンドの外観を示す模式図である。
【図２】本考案の入退室管理用スマートリストバンドのハードウェアブロック図（一）である。
【図３】本考案のスマート電気錠システムのハードウェアブロック図（一）である。
【図４】本考案のスマート電気錠システムのハードウェアブロック図（二）である。
【図５】本考案のスマート電気錠システムのハードウェアブロック図（三）である。
【図６】本考案の入退室管理用スマートリストバンドのハードウェアブロック図（二）である。
【図７】本考案の入退室管理用スマートリストバンドのハードウェアブロック図（三）である。
【図８】本考案の入退室管理用スマートリストバンドのハードウェアブロック図（四）である。
【図９】本考案の入退室管理用スマートリストバンドのハードウェアブロック図（五）である。
【図１０】本考案の入退室管理用スマートリストバンドのハードウェアブロック図（六）である。
【考案を実施するための形態】
【００１１】
図１は本考案のＳＯＳ機能付き入退室管理用スマートリストバンドの外観を示す模式図である。本考案のＳＯＳ機能付き入退室管理用スマートリストバンド２は、ウェアラブルデバイスで、ユーザの身体に装着できる。
【００１２】
図２は本考案の入退室管理用スマートリストバンドのハードウェアブロック図（一）である。本考案のＳＯＳ機能付き入退室管理用スマートリストバンド２は、主にリストバンド本体２１と非接触検知モジュール２２とブルートゥース通信モジュール２３とＳＯＳボタン２４とからなる。
【００１３】
リストバンド本体２１は、リング状又は略リング状とし、ユーザの腕に装着或いはネックレスのように首にかけることができる。ここで、リストバンド本体２１は不織布、プラスチック素材若しくは金属素材で製造されることができ、更に弾性素材で製造して太さが異なる腕に装着させることができる。本考案は前記材料に限られるものではなく、且つ本考案はその上に印刷した図案又は文字を限定しない。
【００１４】
非接触検知モジュール２２は、リストバンド本体２１上に位置する。本実施例において非接触検知モジュール２２は、近距離無線通信（Ｎｅａｒ  Ｆｉｅｌｄ  Ｃｏｍｍｕｎｉｃａｔｉｏｎ、ＮＦＣ）モジュールとすることができ、カードシミュレーション機能とＰ２Ｐ型通信機能を持っている。ここで、非接触検知モジュール２２は、カードシミュレーション機能を実現する時、主にリードオンリーメモリユニット２２１と電気的書き込み消去が可能なリードオンリーメモリユニット２２２からなる。
リードオンリーメモリユニット２２１にリードオンリーチップのシリアル番号を焼付け、電気的書き込み消去が可能なリードオンリーメモリユニット２２２に保安コードを焼き付ける。ここで、リードオンリーメモリユニット２２１は、例えばＲｏｍ（Ｒｅａｄ  Ｏｎｌｙ  Ｍｅｍｏｒｙ）リードオンリーメモリーであり、電気的書き込み消去が可能なリードオンリーメモリユニット２２２が例えば電気的消去可能プログラマブル読み取り専用メモリ（Ｅｒａｓａｂｌｅ  Ｐｒｏｇｒａｍｍａｂｌｅ  Ｒｅａｄ  Ｏｎｌｙ  Ｍｅｍｏｒｙ、ＥＰＲＯＭ）或いは電気的に消去、再書き込み可能な読み出し専用メモリ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ、ＥＥＰＲＯＭ）とするが、本考案はこれに限られるものではない。言い換えると、非接触検知モジュール２２のメモリ領域は、２個の領域に区分でき、１個の領域がリードオンリー領域で、近距離無線通信チップのチップシリアル番号を焼付け、もう１個の領域が電気的書き込み消去が可能なリードオンリー領域で、ユーザの管理システム又は従業員番号等の情報によって保安コードを焼付けることで、その後管理作業或いは入退室管理・勤怠管理作業を行う。これ以外に、非接触検知モジュール２２のメモリ領域は実際の設計若しくは管理の需要によって１個以上の一般アクセス領域を別途区分してその他の関連情報を保存する。
【００１５】
前述の説明において非接触検知モジュール２２は近距離無線通信モジュールを例として説明するが、本考案はこれに限られるものではない。
非接触検知モジュール２２は無線通信による識別技術（Ｒａｄｉｏ  Ｆｒｅｑｕｅｎｃｙ  Ｉｄｅｎｔｉｆｉｃａｔｉｏｎ、ＲＦＩＤ）モジュールとすることもでき、前記リードオンリーメモリユニット２２１と電気的書き込み消去が可能なリードオンリーメモリユニット２２２とを含み、無線周波数波識別技術を身分識別として入退室管理システムに検知させて開扉或いは警備を設定する。よって、当業者は容易に前記近距離無線通信（Ｎｅａｒ  Ｆｉｅｌｄ  Ｃｏｍｍｕｎｉｃａｔｉｏｎ、ＮＦＣ）モジュールを無線通信による識別技術（Ｒａｄｉｏ  Ｆｒｅｑｕｅｎｃｙ  Ｉｄｅｎｔｉｆｉｃａｔｉｏｎ、ＲＦＩＤ）モジュールで代替してカードシミュレーション機能を実現する。
【００１６】
ブルートゥース通信モジュール２３は、リストバンド本体２１上に位置し、ブルートゥースプロトコルを通じてポータブルデバイス３に接続し、ブルートゥースプロトコルを介してデータを送信する。ここで、ポータブルデバイス３は、主に送信モジュール３１と検知ユニット３２とブルートゥースユニット３３とからなることができる。
送信モジュール３１は、クラウドサーバ７に接続することで、救難信号、生体情報、異常信号或いは緊急信号をクラウドサーバ７に伝送する。非接触検知モジュール２２は、Ｐ２Ｐ型通信機能を有するため、検知ユニット３２を検知した時信号伝送コマンドをポータブルデバイス３に送信し、ポータブルデバイス３が信号伝送コマンドによりブルートゥースユニット３３をオンにし、ＳＯＳ機能付き入退室管理用スマートリストバンド２がブルートゥースプロトコルを経由してポータブルデバイス３に接続する。
【００１７】
ＳＯＳボタン２４は、リストバンド本体２１上に位置する。本実施態様においてＳＯＳボタン２４の数量は１個とするが、実際の設計需要に応じて複数のＳＯＳボタン２４を設けることができる。
【００１８】
ＳＯＳボタン２４は、押圧された時救難信号を発生して非接触検知モジュール２２を起動してポータブルデバイス３の検知ユニット３２を検知し、非接触検知モジュール２２がＰ２Ｐ型通信機能を有する場合、ポータブルデバイス３を検知すると、信号伝送コマンドをポータブルデバイス３の検知ユニット３２に送信し、ポータブルデバイス３が信号伝送コマンドによりブルートゥースユニット３３をオンにしてブルートゥース通信モジュール２３をブルートゥースユニット３３に接続すると共に救難信号をポータブルデバイス３に伝送し、ポータブルデバイス３の送信モジュール３１を経由してクラウドサーバ７までに伝送する。これによりクラウドサーバ７で救難事象を記録する以外に、自動的に救難信号を例えば警備員の携帯電話、親族・友達の携帯電話等といった予め設定した電子機器に提供でき、通知を受けた他人が初動対応時間に救難事象を確認し、また援助を提供してもらうことができる。言い換えると、ユーザがポータブルデバイス３のブルートゥース通信をオフにしたとしても、ユーザはＳＯＳボタン２４を押した時、本考案の入退室管理用スマートリストバンド２が近距離無線通信を利用してポータブルデバイス３と互いにコミュニケーションし、ポータブルデバイス３が速やかにブルートゥース通信をオンにしてＳＯＳ機能を完成させる。
【００１９】
ブルートゥース通信モジュール２３は、例えば非接触検知モジュール２２がポータブルデバイス３の検知ユニット３２を検知せず、信号伝送コマンドを伝送できないことにより、ポータブルデバイス３のブルートゥースユニット３３がオンにされないことで接続できない、或いはブルートゥースユニット３３がオンにされたがブルートゥース通信モジュール２３との接続に失敗するなど、救難信号をポータブルデバイス３に伝送することに失敗した場合、ブルートゥース通信モジュール２３は救難信号を保留し、ポータブルデバイス３のブルートゥースユニット３３に接続してから救難信号をポータブルデバイス３に再送してポータブルデバイス３を経由してクラウドサーバ７に伝送できる。
【００２０】
ここで、非接触検知モジュール２２は、Ｐ２Ｐ型通信機能を有しない場合、ＳＯＳボタン２４が押圧された時救難信号を発生し、ブルートゥース通信モジュール２３がブルートゥースユニット３３に接続するかどうかによって救難信号をポータブルデバイス３に伝送するかどうかを決定する。
両者が接続した時、ブルートゥース通信モジュール２３が救難信号をブルートゥースユニット３３に伝送する。ブルートゥース通信モジュール２３がブルートゥースユニット３３に接続しない時、ブルートゥース通信モジュール２３は救難信号を保留し、ブルートゥースユニット３３に接続してから救難信号をポータブルデバイス３に再送してポータブルデバイス３を経由してクラウドサーバ７に伝送できる。
【００２１】
ここで、ＳＯＳボタン２４は、一定時間長押しした後、救難信号を発生するよう設定でき、若しくは連続数回を押した後救難信号を発生するよう設定でき、ユーザの需要によってこれを設定する。
【００２２】
このほか、ブルートゥース通信モジュール２３はブルートゥースユニット３３に接続した時、ポータブルデバイス３から伝送された更新プログラムを受信でき、例えばファームウェアプログラム又はその他のアプリケーションプログラム等の新版プログラムを受信して、入退室管理用スマートリストバンド２を更新することができる。
【００２３】
図３は本考案のスマート電気錠システムのハードウェアブロック図（一）である。本考案のスマート電気錠システム１は、主に入退室管理用スマートリストバンド２とポータブルデバイス３と電気錠装置５とクラウドサーバ７とからなることができる。
【００２４】
電気錠装置５は、主に検知モジュール５３と電気錠５４とからなることができる。検知モジュール５３は近距離で保安コード又は保安コードとリードオンリーチップのシリアル番号を検知した場合、電気錠５４を解錠或いは施錠する。例えば、ユーザが入退室管理用スマートリストバンド２を装着し、手を検知モジュール５３に近付けると、検知モジュール５３は保安コード又は保安コードとリードオンリーチップのシリアル番号を検知して身分識別用とする。
保安コード又は保安コードとリードオンリーチップのシリアル番号に間違いがないことを確認した時或いはデフォルト権限に適合した時、電気錠５４は解錠又は施錠でき、これを介してドアを開くか或いは閉める。
【００２５】
ここで、検知モジュール５３は、カードリーダの形でドア枠のそばに設けられることができ、或いは検知モジュール５３と電気錠５４を一体化してドアに設ける。ただし、本考案はこれに限られるものではない。
【００２６】
更に、電気錠装置５は、シナリオ制御モジュール５５を設けて室内の電子機器９に接続できる。電気錠５４の解錠時駆動信号を電子機器９に伝送して電子機器９が駆動信号によって作動させ、電子機器９の作動モードはオン、オフ（停止）等を含む。
【００２７】
ここで、シナリオ制御モジュール５５は、ブルートゥース、Ｚｉｇｂｅｅ（登録商標）、或いはＷｉ−Ｆｉ（登録商標）、３Ｇ、４Ｇ、ＡＤＳＬ、ＷＩＭＡＸ（登録商標）等を通じて電子機器９に接続できる。電子機器９は例えばテレビ、電灯、音響、電動カーテン等の電子機器とすることができるが、前記シナリオ制御モジュール５５の接続方法と電子機器９のタイプは例示にすぎず、本考案はこれに限られるものではない。
ユーザは装着している入退室管理用スマートリストバンド２を通じてドアを開いて室内に入った後、シナリオ制御モジュール５５は当該ユーザが予め設定したモードによって駆動信号を電子機器９に伝送でき、例えば全ての電灯をオンにし、テレビの電源を入れ、また電動カーテンを閉めるよう駆動する。別のユーザは装着している入退室管理用スマートリストバンド２を通じてドアを開いて室内に入った後、シナリオ制御モジュール５５は予め設定したモードによって駆動信号を電子機器９に伝送できる。例えば一部の電灯をオンにし、音響をオンにして音楽を再生すること等である。ユーザは、各々入退室管理用スマートリストバンド２でドアを開いて室内に入った後、その個人の需要によって自動的に異なる電子機器９の作動を駆動し、電気錠５４の状態の変更によりその他の電子機器をオン又はオフにしてシナリオ制御する目的を達成する。
【００２８】
図４は本考案のスマート電気錠システムのハードウェアブロック図（二）である。この実施態様において電気錠装置５は、更に入退室管理ホストコンピュータ５１を更に含み、且つ保安コードが入退室管理コードを含み、非接触検知モジュール２２が該入退室管理コード又は入退室管理コードとリードオンリーチップのシリアル番号を検知して身分識別用とする。
入退室管理コード又は入退室管理コードとリードオンリーチップのシリアル番号に間違いがないことを確認した時若しくはデフォルト権限に適合した時、該入退室管理ホストコンピュータ５１を駆動して電気錠５４を解錠或いは施錠する。
【００２９】
図５は本考案のスマート電気錠システムのハードウェアブロック図（三）である。この実施態様において電気錠装置５は、警備ホストコンピュータ５２を更に含み、且つ保安コードがセキュリティコードを含む。非接触検知モジュール２２がセキュリティコード又はセキュリティコードとリードオンリーチップのシリアル番号を検知して身分識別用とする。
セキュリティコード又はセキュリティコードとリードオンリーチップのシリアル番号に間違いがないことを確認した時若しくはデフォルト権限に適合した時、該警備ホストコンピュータ５２を駆動して警戒状態の設定或いは警戒状態の解除に切り替える。
【００３０】
ここで、警戒状態の設定とは、警備ホストコンピュータ５２が防犯警戒状態にあることをいい、つまりユーザが外出した時、全ての検出器が検出を行い、例えばドア、窓のリードセンサーの検出が防犯警戒を設定し、屋内のパッシブセンサーが警戒状態に入る。逆に、警備状態の解除とは、警備ホストコンピュータ５２が防犯警戒状態を解除し、全てのセンサーが検出を停止することをいう。ただし、ユーザはその需要に応じて警戒状態の設定又は警戒状態の解除を一部のセンサーが警戒に入り、一部のセンサーが警戒に入らないよう設定できる。
【００３１】
よって、ユーザは自宅に帰るか又はオフィスに戻ると、その入退室管理用スマートリストバンド２のセキュリティコード或いはセキュリティコードとリードオンリーチップのシリアル番号で警戒状態を解除でき、また入退室管理コード若しくは入退室管理コードとリードオンリーチップのシリアル番号で該入退室管理ホストコンピュータ５１を駆動して電気錠５４を解錠すると、室内に入ることができ、且つ更に前述説明したシナリオ制御を組み合わせて使用上の快適性、便利性を向上できる。
ユーザは家から出る時又はオフィスから離れる時、その入退室管理用スマートリストバンド２のセキュリティコード或いはセキュリティコードとリードオンリーチップのシリアル番号で警戒状態を設定でき、且つ入退室管理コード或いは入退室管理コードとリードオンリーチップのシリアル番号で該入退室管理ホストコンピュータ５１を駆動して電気錠５４を施錠し、また更に前述で説明したシナリオ制御を組み合わせて、家又はオフィスに人がいる状態をシミュレーションでき、泥棒をびっくりさせて撃退する目的を達成する。
【００３２】
ここで、シナリオ制御モジュール５５は、入退室管理ホストコンピュータ５１に設けられることができ、入退室管理ホストコンピュータ５１の状態の変更を通じてその他の電子機器をオン又はオフにする。このほかに、シナリオ制御モジュール５５は警備ホストコンピュータ５２に設けられることができ、警備ホストコンピュータ５２の状態の変更を通じてその他の電子機器をオン又はオフにする。
【００３３】
図６は本考案の入退室管理用スマートリストバンドのハードウェアブロック図（二）である。本考案のＳＯＳ機能付き入退室管理用スマートリストバンド２は、更にリストバンド本体２１上に位置する生体情報モジュール２５を設けることができ、ユーザの例えば体温、心拍数、脈拍等の生体情報を測定する。ブルートゥース通信モジュール２３はブルートゥースユニット３３に接続し、また生体情報をポータブルデバイス３に伝送し、ポータブルデバイス３を経由してクラウドサーバ７に伝送して健康の記録又は運動情報の記録とする。
【００３４】
ここで、生体情報モジュール２５は、測定機能を有する以外に、照合判断機能も有する。生体情報モジュール２５が測定した生体情報を異常と判断した時、異常信号を発生し、非接触検知モジュール２２はＰ２Ｐ型通信機能を有するため、ポータブルデバイス３の検知ユニット３２を検知した後、信号伝送コマンドをポータブルデバイス３の検知ユニット３２に送信でき、この時、ポータブルデバイス３は信号伝送コマンドによってブルートゥースユニット３３をオンにし、またブルートゥース通信モジュール２３でブルートゥースユニット３３に接続して異常信号をポータブルデバイス３に伝送し、そしてポータブルデバイス３を経由してクラウドサーバ７に伝送する。
これによって、クラウドサーバ７が生体異常事象をログする以外、更に自動的に異常信号を予め設定した例えば家族、親族・友達の携帯電話等の電子機器に提供でき、通知を受けた他人は初動時間に生体異常事象を確認させると共に協力を提供する。
【００３５】
ブルートゥース通信モジュール２３は、例えば非接触検知モジュール２２が検知ユニット３２を検知せず信号伝送コマンドを伝送できないことにより、ポータブルデバイス３２のブルートゥースユニット３３がオンにされず接続できなかったり、或いはブルートゥースユニット３３がオンにされたがブルートゥース通信モジュール２３との接続に失敗した等、救難信号をポータブルデバイス３に伝送することに失敗した場合、ブルートゥース通信モジュール２３は異常信号を保留し、ポータブルデバイス３のブルートゥースユニット３３に接続してから異常信号をポータブルデバイス３に再送してポータブルデバイス３を経由してクラウドサーバ７に伝送できる。
【００３６】
図７は本考案の入退室管理用スマートリストバンドのハードウェアブロック図（三）である。本考案のＳＯＳ機能付き入退室管理用スマートリストバンド２は、更にリストバンド本体２１上に位置する動作情報モジュール２６を設けることができる。動作情報モジュール２６は、例えば加速度センサー（Ｇ−Ｓｅｎｓｏｒ）、ジャイロメーター（Ｇｙｒｏ  Ｍｅｔｅｒ）等の構成要素を含むことができ、ユーザの動作情報を検出するために用いられる。
【００３７】
動作情報モジュール２６は、動作情報を転倒状態と判断した時、緊急信号を発生し、非接触検知モジュール２２はＰ２Ｐ型通信機能を有するため、ポータブルデバイス３の検知ユニット３２を検知した後、信号伝送コマンドをポータブルデバイス３の検知ユニット３２に送信できる。この時、ポータブルデバイス３は信号伝送コマンドによってブルートゥースユニット３３をオンにし、またブルートゥース通信モジュール２３でブルートゥースユニット３３に接続して緊急信号をポータブルデバイス３に伝送し、そしてポータブルデバイス３を経由してクラウドサーバ７に伝送する。
これによってクラウドサーバ７が緊急事象をログする以外、更に自動的に緊急信号を予め設定した例えば家族、親族・友達の携帯電話等の電子機器に提供でき、通知を受けた他人は初動時間に生体異常事象を確認させると共に協力を提供する。
【００３８】
ブルートゥース通信モジュール２３が緊急信号をポータブルデバイス３に伝送することに失敗した場合は、先に述べた通りなので、ここではその説明を省略する。
【００３９】
図８は本考案の入退室管理用スマートリストバンドのハードウェアブロック図（四）である。本考案のＳＯＳ機能付き入退室管理用スマートリストバンド２は、更にリストバンド本体２１上に位置する音声情報モジュール２７を設けて音声情報を受信できる。
音声情報モジュール２７は、音声情報を緊急事態と判断した時、緊急信号を発生し、或いは音声情報を救助要請の声と判断した時救難信号を発生する。ここで例えばユーザが高齢者で、「助けて！」と叫び、音声情報モジュール２７が受信並びに判断した後、これによって救難信号を発生し、また、例えばユーザが屋内で転倒した後大きな音がしたら、音声情報モジュール２７が受信並びに判断した後これによって緊急信号を発生する。
【００４０】
非接触検知モジュール２２は、Ｐ２Ｐ型通信機能を有し、ポータブルデバイス３を検知した時、信号伝送コマンドを伝送して速やかにポータブルデバイス３のブルートゥースユニット３３をオンにし、またブルートゥース通信モジュール２３でブルートゥースユニット３３に接続して緊急信号をポータブルデバイス３に伝送し、そしてポータブルデバイス３を経由してクラウドサーバ７に伝送する。ブルートゥース通信モジュール２３が緊急信号又は救難信号をポータブルデバイスに伝送することに失敗した場合は、先に述べた通りなので、ここではその説明を省略する。
【００４１】
ここで、ポータブルデバイス３は、救難信号、異常信号或いは緊急信号を受信した後、救難信号、異常信号或いは緊急信号によって通知メッセージを例えば家族、親族・友達の携帯電話等のモバイルデバイスに送信し、通知を受けた他人が初動時間に事象を確認させると共に協力を提供させ、これを介して安全ケアの目的を達成する。
【００４２】
図９は本考案の入退室管理用スマートリストバンドのハードウェアブロック図（五）である。本考案のＳＯＳ機能付き入退室管理用スマートリストバンド２は、更にリストバンド本体２１上に測位モジュール２８１と警報モジュール２８２を設けることができる。
測位モジュール２８１は、リストバンド本体２１の位置情報を検出するため、前記救難信号、異常信号或いは緊急信号がいずれも事象発生時の位置情報を含む。ポータブルデバイス３は救難信号、異常信号或いは緊急信号を受信した後、位置情報を通じてポータブルデバイス３の地図情報を組み合わせると、入退室管理用スマートリストバンド２を装着しているユーザの現位置を知ることができる。
このほかに、クラウドサーバ７も自動的に位置情報を有する救難信号、異常信号或いは緊急信号を予め設定した電子機器に提供でき、通知を受けた他人が電子機器の地図情報を介して初動時間に事象発生場所を確認させると共に協力を提供させることができる。ここで、地図情報はＧｏｏｇｌｅ（登録商標）マップ、百度（登録商標）マップ又はその他の電子マップとすることができる。
【００４３】
警報モジュール２８２は、救難信号、異常信号或いは緊急信号によって警報を発生する。例えば警報モジュール２８２をスピーカ又は音声を出力できる他の装置とすることができ、救難信号、異常信号或いは緊急信号によって警報音を発し、若しくは警報モジュール２８２を発光ダイオード又はその他の光源装置とすることができ、救難信号、異常信号或いは緊急信号によって警告灯を発光する。若しくは警報モジュール２８２をバイブレーターとすることができ、救難信号、異常信号或いは緊急信号によって振動を発生する。
【００４４】
前記内容では、入退室管理用スマートリストバンド２に測位モジュール２８１と警報モジュール２８２を設けている例について説明したが、測位モジュール２８１と警報モジュール２８２は同時に設置しなければならないことに限られるものではない。実際の設計の需要に応じて測位モジュール２８１又は警報モジュール２８２のみを設けることができる。
【００４５】
図１０は本考案の入退室管理用スマートリストバンドのハードウェアブロック図（六）である。本考案のＳＯＳ機能付き入退室管理用スマートリストバンド２は、更にリストバンド本体２１上に電池モジュール２９１と表示モジュール２９２を設けることができる。
【００４６】
電池モジュール２９１は、主に接点２９１１と電池ユニット２９１２とからなることができ、該接点２９１１を経由して電池ユニット２９１２に充電する。このほかに、電池ユニット２９１２は、太陽電池とすることができ、接点２９１１で充電する以外に、電池ユニット２９１２が可視光で自ら発電できる。
【００４７】
表示モジュール２９２は、メッセージ又は電池ユニット２９１２の残量状態を表示するために用いられる。ここで、表示モジュール２９２が表示するメッセージは、時刻とすることで時計或いは目覚まし時計用とでき、若しくは生体情報モジュール２５が測定した生体情報を表示でき、又は救難信号、異常信号或いは緊急信号等の事象の時間、場所等の関連情報を表示する。ここで、表示モジュール２９２は、液晶タッチスクリーンとすることができ、ユーザがタッチ方式で簡単に操作できる。ただし、本考案はこれに限られるものではない。
【００４８】
前記内容では、入退室管理用スマートリストバンド２に電池モジュール２９１と表示モジュール２９２を設けている例について説明したが、電池モジュール２９１と表示モジュール２９２は同時に設置しなければならないことに限られるものではない。実際の設計の需要に応じて電池モジュール２９１又は表示モジュール２９２のみを設けることができる。
【００４９】
本考案のＳＯＳ機能付き入退室管理用スマートリストバンドは、カードシミュレーション機能を通じて入退室管理機能を実現し、これをもって身分識別として入退室管理システムに検知させて開扉或いは警備を設定する。ここで、ユーザは入退室管理用スマートリストバンドを身分識別用として入退室管理の電気錠を解錠した後、更に電子機器を起動してシナリオ制御とすることができ、例えば予め設定した照明をオンにし又は電動カーテンを閉めることができ、生活に溶け込んで使用上の快適性、便利性を向上する。
また、入退室管理用スマートリストバンドは、ＳＯＳ機能を有し、ポータブルデバイスのブルートゥースとマッチングしてからクラウドサーバと接続できる。ここで、ポータブルデバイスのブルートゥース通信は消費電力が大きすぎるため、多くのユーザが通常ポータブルデバイスのブルートゥース通信をオフにし、ユーザがＳＯＳボタンを押した時、本考案の入退室管理用スマートリストバンドとポータブルデバイスの近距離無線通信が互いにコミュニケーションし、Ｐ２Ｐ型通信機能を通じて信号伝送コマンドを伝送しポータブルデバイスが速やかにブルートゥース通信をオンにさせ、ＳＯＳ機能を完成させる。直ちに信号をブルートゥースによってポータブルデバイスに伝送できない場合、一定時間保留し、ポータブルデバイスのブルートゥースをオンにしてから信号をポータブルデバイスに伝送し、またクラウドサーバに転送する。
このほかに、入退室管理用スマートリストバンドとポータブルデバイスがブルートゥースで接続した時、入退室管理用スマートリストバンドがＳＯＳ（位置報告を含む）、走った軌跡、健康状態、電池状態等の情報をポータブルデバイスに伝送でき、又はポータブルデバイスからファームウェアプログラム或いはその他のプログラム等の更新プログラムを取得して更新を行うことができる。
【００５０】
本考案の技術的内容は、好ましい実施例で上記の通り開示されたが、そのような実施例により本考案の保護範囲が限定されるべきものではなく、当業者が本考案の精神から離れることなく為した種々の変更及び改変は、本考案の範囲に含めるものであるのが勿論である。よって本考案の保護範囲は、本明細書に添付する実用新案登録請求の範囲で定義しているものを基準とする。
【符号の説明】
【００５１】
１        電気錠システム
２        入退室管理用スマートリストバンド
２１      リストバンド本体
２２      非接触検知モジュール
２２１    リードオンリーメモリユニット
２２２    電気的書き込み消去が可能なリードオンリーメモリユニット
２３      ブルートゥース通信モジュール
２４      ＳＯＳボタン
２５      生体情報モジュール
２６      動作情報モジュール
２７      音声情報モジュール
２８１    測位モジュール
２８２    警報モジュール
２９１    電池モジュール
２９１１  接点
２９１２  電池ユニット
２９２    表示モジュール
３        ポータブルデバイス
３１      送信モジュール
３２      検知ユニット
３３      ブルートゥースユニット
５        電気錠装置
５１      入退室管理ホストコンピュータ
５２      警備ホストコンピュータ
５３      検知モジュール
５４      電気錠
５５      シナリオ制御モジュール
７        クラウドサーバ
９        電子機器
【図１】
0003209967.tif 000003
【図２】
0003209967.tif 000004
【図３】
0003209967.tif 000005
【図４】
0003209967.tif 000006
【図５】
0003209967.tif 000007
【図６】
0003209967.tif 000008
【図７】
0003209967.tif 000009
【図８】
0003209967.tif 000010
【図９】
0003209967.tif 000011
【図１０】
0003209967.tif 000012
【手続補正書】
【提出日】平成29年2月8日(2017.2.8)
【手続補正１】
【補正対象書類名】実用新案登録請求の範囲
【補正対象項目名】全文
【補正方法】変更
【補正の内容】
【実用新案登録請求の範囲】
【請求項１】
リストバンド本体と、
非接触検知モジュールであって、前記リストバンド本体上に位置し、リードオンリーメモリユニットと電気的書き込み消去が可能なリードオンリーメモリユニットとを包括し、前記リードオンリーメモリユニットにリードオンリーチップのシリアル番号を焼付け、電気的書き込み消去が可能なリードオンリーメモリユニットに保安コードを焼付け、電気錠装置は前記保安コード又は前記保安コードと前記リードオンリーチップのシリアル番号を検知して前記電気錠装置の電気錠を解錠或いは施錠する非接触検知モジュールと、
リストバンド本体上に位置し、ポータブルデバイスのブルートゥース（登録商標）ユニットに接続するブルートゥース通信モジュールと、
リストバンド本体上に位置し、ＳＯＳボタンが押圧された時救難信号を発生し、前記ブルートゥース通信モジュールが前記ブルートゥースユニットに接続した時前記救難信号を前記ポータブルデバイスに伝送し、前記ポータブルデバイスを経由してクラウドサーバまでに伝送し、またクラウドサーバに救難事象をログしてから前記救難信号を予め設定した電子機器に提供し、非接触検知モジュールは前記ポータブルデバイスの検知ユニットを検知した時信号伝送コマンドを前記ポータブルデバイスに送信し、前記ポータブルデバイスが前記信号伝送コマンドにより前記ブルートゥースユニットをオンにし、前記ブルートゥース通信モジュールが前記ブルートゥースユニットに接続して前記救難信号を前記ポータブルデバイスに伝送するＳＯＳボタンと、を含むことを特徴とする、
ＳＯＳ機能付き入退室管理用スマートリストバンド。
【請求項２】
前記リストバンド本体上に位置し、生体情報を測定するための生体情報モジュールを更に含み、前記ブルートゥース通信モジュールは前記ブルートゥースユニットに接続して前記生体情報を前記ポータブルデバイスに伝送し、前記ポータブルデバイスを経由して前記クラウドサーバに伝送することを特徴とする請求項１に記載のＳＯＳ機能付き入退室管理用スマートリストバンド。
【請求項３】
前記生体情報モジュールが前記生体情報を異常と判断した時、異常信号を発生し、前記非接触検知モジュールは前記ポータブルデバイスの検知ユニットを検知した後、信号伝送コマンドを前記ポータブルデバイスに送信し、前記ポータブルデバイスは前記信号伝送コマンドによって前記ブルートゥースユニットをオンにし、前記ブルートゥース通信モジュールで前記ブルートゥースユニットに接続して前記異常信号を前記ポータブルデバイスに伝送し、前記ポータブルデバイスを経由して前記クラウドサーバに伝送し、前記ブルートゥース通信モジュールは前記異常信号を前記ポータブルデバイスに伝送することに失敗した場合、前記異常信号を保留し、前記ポータブルデバイスの前記ブルートゥースユニットに接続してから前記異常信号を前記ポータブルデバイスに再送して前記ポータブルデバイスを経由して前記クラウドサーバに伝送することを特徴とする請求項２に記載のＳＯＳ機能付き入退室管理用スマートリストバンド。
【請求項４】
前記リストバンド本体上に位置し、動作情報を検出するための動作情報モジュールを更に含み、前記動作情報モジュールが前記動作情報を転倒状態と判断した時、緊急信号を発生し、前記非接触検知モジュールは前記ポータブルデバイスの検知ユニットを検知した後、信号伝送コマンドを前記ポータブルデバイスに送信し、前記ポータブルデバイスは前記信号伝送コマンドによって前記ブルートゥースユニットをオンにし、前記ブルートゥース通信モジュールで前記ブルートゥースユニットに接続して前記緊急信号を前記ポータブルデバイスに伝送し、前記ポータブルデバイスを経由して前記クラウドサーバに伝送し、前記ブルートゥース通信モジュールは前記緊急信号を前記ポータブルデバイスに伝送することに失敗した場合、前記緊急信号を保留し、前記ポータブルデバイスの前記ブルートゥースユニットに接続してから前記緊急信号を前記ポータブルデバイスに再送して前記ポータブルデバイスを経由して前記クラウドサーバに伝送することを特徴とする請求項１に記載のＳＯＳ機能付き入退室管理用スマートリストバンド。
【請求項５】
前記リストバンド本体上に位置し、音声情報を受信するための音声情報モジュールを更に含み、前記音声情報モジュールが前記音声情報を緊急事態と判断した時緊急信号を発生し、或いは前記音声情報を救助要請の声と判断した時救助要請信号を発生し、前記非接触検知モジュールは前記ポータブルデバイスの検知ユニットを検知した後、信号伝送コマンドを前記ポータブルデバイスに送信し、前記ポータブルデバイスは前記信号伝送コマンドによって前記ブルートゥースユニットをオンにし、前記ブルートゥース通信モジュールで前記ブルートゥースユニットに接続して前記緊急信号又前記救助要請信号を前記ポータブルデバイスに伝送し、前記ポータブルデバイスを経由して前記クラウドサーバに伝送し、前記ブルートゥース通信モジュールは前記緊急信号又前記救助要請信号を前記ポータブルデバイスに伝送することに失敗した場合、前記緊急信号又前記救助要請信号を保留し、前記ポータブルデバイスの前記ブルートゥースユニットに接続してから前記緊急信号又前記救助要請信号を前記ポータブルデバイスに再送して前記ポータブルデバイスを経由して前記クラウドサーバに伝送することを特徴とする請求項１に記載のＳＯＳ機能付き入退室管理用スマートリストバンド。
【請求項６】
前記リストバンド本体の位置情報を検出するための測位モジュールを更に含み、前記救難信号は前記位置情報を包括することを特徴とする請求項１〜５のいずれか一項に記載のＳＯＳ機能付き入退室管理用スマートリストバンド。
【請求項７】
前記リストバンド本体上に位置し、前記救難信号、前記異常信号又は前記緊急信号によって警報を発生する警報モジュールを更に含むことを特徴とする請求項６に記載のＳＯＳ機能付き入退室管理用スマートリストバンド。
【請求項８】
前記ポータブルデバイスは、前記救難信号によって通知メッセージをモバイルデバイスに送信することを特徴とする請求項１〜５のいずれか一項に記載のＳＯＳ機能付き入退室管理用スマートリストバンド。
【請求項９】
前記リストバンド本体上に位置する電池モジュールを更に含み、前記電池モジュールは、接点と電池ユニットとを包括し、前記接点を経由して前記電池ユニットに充電することを特徴とする請求項１〜５のいずれか一項に記載のＳＯＳ機能付き入退室管理用スマートリストバンド。
【請求項１０】
前記リストバンド本体上に位置し、メッセージ或いは前記電池ユニットの残量を表示する表示モジュールを更に含むことを特徴とする請求項９に記載のＳＯＳ機能付き入退室管理用スマートリストバンド。
【請求項１１】
前記ブルートゥース通信モジュールは、前記ブルートゥースユニットに接続することで前記ポータブルデバイスから伝送された更新プログラムを受信することを特徴とする請求項１〜５のいずれか一項に記載のＳＯＳ機能付き入退室管理用スマートリストバンド。
【請求項１２】
請求項１〜１１のいずれか一項に記載のＳＯＳ機能付き入退室管理用スマートリストバンドと、
検知モジュールと電気錠とを包括し、前記検知モジュールが保安コード又は前記保安コードとリードオンリーチップのシリアル番号を検知して前記電気錠を解錠或いは施錠する電気錠装置と、
クラウドサーバと、
送信モジュールと検知ユニットとブルートゥースユニットとを包括し、前記送信モジュールが前記クラウドサーバに接続し、前記検知ユニットが前記非接触検知モジュールを検知した時前記ブルートゥースユニットを起動し、前記ブルートゥースユニットが前記ブルートゥース通信モジュールに接続すると共に前記救難信号を受信し、前記送信モジュールを経由して前記救難信号を前記クラウドサーバに伝送するポータブルデバイスと、
前記救難信号が前記送信モジュールを経由して前記クラウドサーバに伝送され、また前記クラウドサーバに救難事象をログしてから前記救難信号、前記異常信号又は前記緊急信号を予め設定した電子機器に提供するよう予め設定した電子機器と、を含むことを特徴とする、
スマート電気錠システム。
【請求項１３】
前記電気錠装置は、入退室管理ホストコンピュータを更に含み、前記保安コードが入退室管理コードを包括し、前記検知モジュールが前記入退室管理コード又は前記入退室管理コードと前記リードオンリーチップのシリアル番号を検知して前記入退室管理ホストコンピュータを駆動して前記電気錠を解錠或いは施錠することを特徴とする請求項１２に記載のスマート電気錠システム。
【請求項１４】
前記電気錠装置は、警備ホストコンピュータを更に含み、前記保安コードがセキュリティコードを包括し、前記検知モジュールが前記セキュリティコード又は前記セキュリティコードと前記リードオンリーチップのシリアル番号を検知して前記警備ホストコンピュータを駆動して警戒状態の設定或いは警戒状態の解除に切り替えることを特徴とする請求項１２又は１３に記載のスマート電気錠システム。
【請求項１５】
前記電気錠装置は、電子機器に接続するシナリオ制御モジュールを更に含み、前記電気錠が解錠された時駆動信号を前記電子機器に伝送し、前記電子機器が前記駆動信号によって作動することを特徴とする請求項１４に記載のスマート電気錠システム。